(57)【要約】      （修正有）【課題】簡素な構造でありながら改竄操作が行われた場合に確実にその痕跡を残すことが可能な改竄防止機能を備えた包装箱を提供する。【解決手段】包装箱は、直方体状の筒体を構成する４つの側面板（第１側面板、正面板、第２側面板、及び背面板）と、２つの端面板（第１下側端面板１５及び第２下側端面板）とを備える。第１上側端面板１２１及び第１下側端面板により筒体の端面を塞いだ状態において、第１上側端面板は第１下側端面板の上に重ねて接着剤により接着される。第１上側端面板の表面及び裏面には、第１上側端面板に層間剥離を生じさせるハーフカット線７１ａ，７２ａを形成する。第１上側端面板の表面に、接着剤を溶融させるための熱が印加されると変性する性質を有する物質を設ける。【選択図】図１
2020045166.tif 000002
【特許請求の範囲】
【請求項１】
筒体を構成する４つの側面板、
前記筒体の一方の端面を塞ぐように前記側面板の一つに延設される第１下側端面板、
前記一方の端面を塞ぐように、前記第１下側端面板が延設される前記側面板と対向する前記側面板に延設される第１上側端面板、
前記筒体の他方の端面を塞ぐように前記側面板の一つに延設される第２下側端面板、
を含み、
前記第１上側端面板及び前記第１下側端面板により前記筒体の前記一方の端面を塞いだ状態において、前記第１上側端面板は前記第１下側端面板の上に重ねて接着剤により接着され、
前記第１上側端面板の表面及び裏面に、前記第１上側端面板に層間剥離を生じさせるハーフカット線が形成されている、
包装箱。
【請求項２】
請求項１に記載の包装箱であって、
前記第１上側端面板の表面に、前記接着剤を溶融させるための熱が印加されると変性する性質を有する物質が設けられている、
包装箱。
【請求項３】
請求項２に記載の包装箱であって、
前記物質は、前記接着剤を溶融させるための熱が印加されると変色する性質を有する成分を含む、
包装箱。
【請求項４】
請求項２に記載の包装箱であって、
前記物質は、前記接着剤を溶融させるための熱が印加されると変形する性質を有する成分を含む、
包装箱。
【請求項５】
請求項１乃至４のいずれか一項に記載の包装箱であって、
前記第１上側端面板に、前記層間剥離を誘発する切込線が形成されている、
包装箱。
【請求項６】
請求項１乃至５のいずれか一項に記載の包装箱であって、
前記ハーフカット線の少なくとも一部は、前記第１上側端面板の前記接着剤が塗布される領域にかかるように形成されている、
包装箱。
【請求項７】
請求項１乃至５のいずれか一項に記載の包装箱であって、
前記第１上側端面板の表面及び裏面に形成された前記ハーフカット線は、前記第１上側端面板の表面に形成された前記ハーフカット線と、前記第１上側端面板の裏面に形成された前記ハーフカット線との間の領域に前記層間剥離を生じさせるように形成されている、
包装箱。
【請求項８】
請求項１乃至６のいずれか一項に記載の包装箱であって、
前記第１上側端面板の表面に、平行に延出する複数のハーフカット線が形成され、
前記第１上側端面板の裏面に、表面の前記複数のハーフカット線と平行に延出し、前記複数のハーフカット線と対になって前記層間剥離を生じさせる、複数のハーフカット線が形成されている、
包装箱。
【請求項９】
請求項１乃至８のいずれか一項に記載の包装箱であって、
前記第１上側端面板の表面に、異なる方向に延出する複数のハーフカット線が形成され、
前記第１上側端面板の裏面に、異なる方向に延出する複数のハーフカット線が形成されている、
包装箱。
【請求項１０】
請求項１乃至９のいずれか一項に記載の包装箱であって、
前記他方の端面を塞ぐように、前記第２下側端面板が延設される前記側面板と対向する前記側面板に延設される第２上側端面板を更に含み、
前記第２上側端面板及び前記第２下側端面板により前記筒体の前記他方の端面を塞いだ状態において、前記第２上側端面板は前記第２下側端面板の上に重ねて第２接着剤により接着され、
前記第２上側端面板の表面及び裏面に、前記第２上側端面板に層間剥離を生じさせるハーフカット線が形成されている、
包装箱。
【請求項１１】
請求項１に記載の包装箱であって、
前記第１上側端面板の表面に、前記第１上側端面板の端辺に沿って複数の第１の菱形状のハーフカット線が形成され、
前記第１上側端面板の裏面に、前記複数の前記第１の菱形状のハーフカット線の夫々に対応して、第１上側端面板の端辺に沿って複数の第２の菱形状のハーフカット線が形成され、
前記第１の菱形状のハーフカット線と当該第１の菱形状のハーフカット線に対応する第２の菱形状のハーフカット線との間に前記層間剥離を生じさせる領域が形成されている、
包装箱。
【請求項１２】
請求項１乃至９のいずれか一項に記載の包装箱であって、
着色層を有するブランクシートを折り曲げて立ち上げることにより構成され、前記ハーフカット線は、前記層間剥離が生じた際に前記着色層が露出するように形成されている、
包装箱。
【請求項１３】
請求項１２に記載の包装箱であって、
前記ブランクシートは、表層、中層、及び裏層を順に積層した層構造を有し、
前記着色層は前記中層に形成されている、
包装箱。
【請求項１４】
請求項１２に記載の包装箱であって、
前記ハーフカット線は、前記着色層に達する深さで形成されている、
包装箱。
【請求項１５】
請求項１乃至９のいずれか一項に記載の包装箱であって、
着色層を有するブランクシートを折曲線に沿って折り曲げて立ち上げることにより構成され、前記折曲線は、前記折り曲げによって前記着色層が露出するように破断する部分を有する、
包装箱。
【請求項１６】
請求項１５に記載の包装箱であって、
前記折曲線はミシン目であり、前記折り曲げによって前記着色層が露出するように破断する前記部分は、前記ミシン目のつなぎの部分である、
包装箱。
【請求項１７】
筒体を構成する４つの側面板、
前記筒体の一方の端面を塞ぐように前記側面板の一つに延設される第１端面板、
前記筒体の他方の端面を塞ぐように前記側面板の一つに延設される第２端面板、
前記第１端面板に延設される差込部、
を含み、
前記第１端面板により前記筒体の前記一方の端面を塞いだ状態において、前記差込部は前記側面板の一つと接着剤により接着され、
前記差込部と前記接着剤により接着される前記側面板の表面及び裏面に、前記側面板に層間剥離を生じさせるハーフカット線が形成されている、
包装箱。
【請求項１８】
請求項１７に記載の包装箱であって、
前記差込部と前記接着剤により接着される前記側面板の表面に、前記側面板の端辺を底辺とする第１の三角形状のハーフカット線が形成され、
前記側面板の裏面に、前記側面板の端辺を底辺とし、前記側面板を透過的に見た場合に前記第１の三角形状のハーフカット線が収容されるように第２の三角形状のハーフカット線が形成され、
前記第１の三角形状のハーフカット線と前記第２の三角形状のハーフカット線との間に前記層間剥離を生じさせる領域が形成されている、
包装箱。
【請求項１９】
請求項１７に記載の包装箱であって、
前記差込部と前記接着剤により接着される前記側面板の表面に、前記側面板の端辺を下底とする第１の台形状のハーフカット線が形成され、
前記側面板の裏面に、前記側面板の端辺を下底とし、前記側面板を透過的に見た場合に前記第１の台形状のハーフカット線が収容されるように第２の台形状のハーフカット線が形成され、
前記第１の台形状のハーフカット線と前記第２の台形状のハーフカット線との間に前記層間剥離を生じさせる領域が形成されている、
包装箱。
【請求項２０】
請求項１７乃至１９のいずれか一項に記載の包装箱であって、
着色層を有するブランクシートを折り曲げて立ち上げることにより構成され、前記ハーフカット線は、前記層間剥離が生じた際に前記着色層が露出するように形成されている、
包装箱。
【請求項２１】
請求項２０に記載の包装箱であって、
前記ブランクシートは、表層、中層、及び裏層を順に積層した層構造を有し、
前記着色層は、前記ブランクシートの中層に形成されている、
包装箱。
【請求項２２】
請求項２０に記載の包装箱であって、
前記ハーフカット線は、前記着色層に達する深さで形成されている、
包装箱。
【請求項２３】
請求項１７乃至２２のいずれか一項に記載の包装箱であって、
着色層を有するブランクシートを折曲線に沿って折り曲げて立ち上げることにより構成され、前記折曲線は、前記折り曲げによって前記着色層が露出するように破断する部分を有する、
包装箱。
【請求項２４】
請求項２３に記載の包装箱であって、
前記折曲線はミシン目であり、前記折り曲げによって前記着色層が露出するように破断する前記部分は、前記ミシン目のつなぎの部分である、
包装箱。
【請求項２５】
内容物が収納される空間を構成する一つ以上の第１面板、
前記空間を封止すべく前記第１面板に接着剤により接着される一つ以上の第２面板、
を含み、
前記第１面板に層間剥離を生じさせるべく前記第１面板の表面及び裏面に形成される一つ以上のハーフカット線、及び、前記第２面板に層間剥離を生じさせるべく前記第２面板の表面及び裏面に形成される一つ以上のハーフカット線、のうちの少なくともいずれかが形成されている、
包装箱。
【請求項２６】
請求項２５に記載の包装箱であって、
着色層を有するブランクシートを折り曲げて立ち上げることにより構成され、前記ハーフカット線は、前記層間剥離が生じた際に前記着色層が露出するように形成されている、
包装箱。
【請求項２７】
請求項２６に記載の包装箱であって、
前記ブランクシートは、表層、中層、及び裏層を順に積層した層構造を有し、
前記着色層は、前記ブランクシートの中層に形成されている、
包装箱。
【請求項２８】
請求項２５乃至２７のいずれか一項に記載の包装箱であって、
着色層を有するブランクシートを折曲線に沿って折り曲げて立ち上げることにより構成され、前記折曲線は、前記折り曲げによって前記着色層が露出するように破断する部分を有する、
包装箱。
【請求項２９】
請求項２８に記載の包装箱であって、
前記折曲線はミシン目であり、前記折り曲げによって前記着色層が露出するように破断する前記部分は、前記ミシン目のつなぎの部分である、
包装箱。
【請求項３０】
筒体を構成する４つの側面板、
前記筒体の一方の端面を塞ぐように前記側面板の一つに延設される第１端面板、
前記筒体の他方の端面を塞ぐように前記側面板の一つに延設される第２端面板、
前記第１端面板に延設される差込部、
を含み、
前記第１端面板により前記筒体の前記一方の端面を塞いだ状態において、前記差込部は一の前記側面板と接着剤により接着され、
前記一の側面板の表面及び裏面に、前記差込部を前記一の側面板から離脱させるように前記側面板に層間剥離を生じさせるハーフカット線が形成されている、
包装箱。
【請求項３１】
請求項３０に記載の包装箱であって、
前記層間剥離は、前記一の側面板の、当該側面板の表面の前記ハーフカット線と当該側面板の裏面の前記ハーフカット線との間の領域に生じる、
包装箱。
【請求項３２】
請求項３１に記載の包装箱であって、
前記側面板の表面の前記ハーフカット線は、前記側面板の裏面の前記ハーフカット線の内側に形成されている、
包装箱。
【請求項３３】
請求項３１に記載の包装箱であって、
前記側面板の表面の前記ハーフカット線は、前記側面板の裏面の前記ハーフカット線の外側に形成されている、
包装箱。
【請求項３４】
請求項３０乃至３３のいずれか一項に記載の包装箱であって、
着色層を有するブランクシートを折り曲げて立ち上げることにより構成され、前記ハーフカット線は、前記層間剥離が生じた際に前記着色層が露出するように形成されている、
包装箱。
【請求項３５】
請求項３４に記載の包装箱であって、
前記ブランクシートは、表層、中層、及び裏層を順に積層した層構造を有し、
前記着色層は、前記ブランクシートの中層に形成されている、
包装箱。
【請求項３６】
請求項３４に記載の包装箱であって、
前記ハーフカット線は、前記着色層に達する深さで形成されている、
包装箱。
【発明の詳細な説明】
【技術分野】
【０００１】
この発明は、包装箱の改竄防止機能に関する。
【背景技術】
【０００２】
特許文献１には、「包装した商品の抜き取り等の改竄を防止し、開封されてもその痕跡が残る機能を備えた包装箱を提供する」、「周壁から延びる内フラップと外フラップとを重ね、これらを接着剤を塗布した接着部で貼り合わせて封緘する包装箱において、周壁に、内フラップへの切込により突起を設け、この突起が接着部に近接して内フラップと外フラップの隙間を覆うようにし、接着部の付近では、内フラップと外フラップとの間にカッターナイフの刃が入らず、突起を切り取ったり、潰したりしなければ開封できないようにする」と記載されている。
【０００３】
特許文献２には、「開封の痕跡が明瞭に残り不正開封を見逃すことがない不正開封防止機構を備えた包装容器を提供する」、「正面板、左右の側面板、背面板、下面板および上面板を備えた包装容器において、不正開封防止機構として開封時に切断板が破断される第２予定破断線および／あるいは切断板と連接している正面板、上面板、左右の側面板に連続したズレ検出用画像を有する不正開封防止機構を備えた包装容器」と記載されている。
【０００４】
特許文献３には、「外部から識別困難な内部に着色層を備えた特殊紙器用板紙を用いて包装箱を組み立てて、包装箱の製作メーカー或は使用メーカーの出所を明らかにすると共に、一旦開封したのちは包装箱を再生できないようにする」、「バルブの繊維を抄紙した薄紙の複数枚を重ねて、中央附近に位置する薄紙の１枚または複数枚を染料で適宜に着色すると共に、着色した層と何れか一方または両方の無着色の層とを比較的剥離し易い状態でスキ合せて造られ、そのままかまたは薄紙の表面の一方または両方を適宜の材料でコーテングされた特殊紙器用板紙を型抜、罫入れしたのち組み立てられた、特殊紙器用板紙を用いた包装箱である。」と記載されている。
【先行技術文献】
【特許文献】
【０００５】
【特許文献１】特開２００９−１４９３５５号公報
【特許文献２】特開２０１６−１０１９７９号公報
【特許文献３】特開昭６１−２７３３４０号公報
【発明の概要】
【発明が解決しようとする課題】
【０００６】
従来より、包装箱（包装容器）に改竄防止機能を設ける方法としては、改竄防止シールを貼付する方法、包装箱の開封構造に不可逆な構造を設ける方法等、様々なものが存在する。ここで包装箱に設けられる改竄防止機能には、例えば、悪意者が包装箱に何らかの改竄操作を行った際にその痕跡が確実に残ること、改竄防止機能が包装箱の強度や利便性に影響を与えないこと、改竄防止機能を設けたことによる製造工程や製造コストへの影響を抑えること等が求められる。
【０００７】
本発明はこのような背景に鑑みてなされたもので、簡素な構造でありながら、改竄操作が行われた場合に確実に痕跡を残すことが可能な包装箱を実現することを目的としている。
【課題を解決するための手段】
【０００８】
上記目的を達成するための本発明の一つは、筒体を構成する４つの側面板、前記筒体の一方の端面を塞ぐように前記側面板の一つに延設される第１下側端面板、前記一方の端面を塞ぐように、前記第１下側端面板が延設される前記側面板と対向する前記側面板に延設される第１上側端面板、前記筒体の他方の端面を塞ぐように前記側面板の一つに延設される第２下側端面板、を含み、前記第１上側端面板及び前記第１下側端面板により前記筒体の前記一方の端面を塞いだ状態において、前記第１上側端面板は前記第１下側端面板の上に重ねて接着剤により接着され、前記第１上側端面板の表面及び裏面に、前記第１上側端面板に層間剥離を生じさせるハーフカット線が形成されている。
【０００９】
このように本発明の包装箱にあっては、第１上側端面板に層間剥離を生じさせるハーフカット線が形成されているので、例えば、悪意者が第１上側端面板と第１下側端面板との間にカッター等を挿入して接着剤を切離しようとすると第１上側端面板に層間剥離が生じ、改竄操作が行われた痕跡を確実に残すことができる。またハーフカット線は包装箱の強度に与える影響が少ないので、こうした仕組みを設けた場合でも、製造時や輸送時に包装箱やブランクに要求される強度を確保することができる。また包装箱自体に改竄防止の仕組みを設けているため、改竄防止シール等の別途の構成が不要であり、製造工程や製造コストに与える影響を抑えることができる。
【００１０】
本発明の他の一つは、上記包装箱であって、前記第１上側端面板の表面に、前記接着剤を溶融させるための熱が印加されると変性する性質を有する物質が設けられている。
【００１１】
包装箱に対する改竄操作として、例えば、悪意者がドライヤー等の加熱装置を用いて第１上側端面板に熱を加えて接着剤を溶融する操作を行うことも想定されるが、このように第１上側端面板の表面に接着剤を溶融させるための熱が印加されると変性する性質を有する物質を設けることで、そのような改竄操作が行われた場合でも、確実に改竄操作が行われた痕跡を残すことができる。
【００１２】
本発明の他の一つは、上記包装箱であって、前記物質は、前記接着剤を溶融させるための熱が印加されると変色する性質を有する成分を含むことを特徴とする。
【００１３】
本発明の他の一つは、上記包装箱であって、前記物質は、前記接着剤を溶融させるための熱が印加されると変形する性質を有する成分を含むことを特徴とする。
【００１４】
本発明の他の一つは、上記包装箱であって、前記第１上側端面板に、前記層間剥離を誘発する切込線が形成されていることを特徴とする。
【００１５】
このように第１上側端面板に切込線を形成することで、第１上側端面板に層間剥離が誘発されやすくなり、改竄操作が行われた場合にその痕跡を確実に残すことができる。
【００１６】
本発明の他の一つは、上記包装箱であって、前記ハーフカット線の少なくとも一部は、前記第１上側端面板の前記接着剤が塗布される領域にかかるように形成されていることを特徴とする。
【００１７】
このようにハーフカット線の少なくとも一部を第１上側端面板の接着剤が設けられる領域にかかるように形成することで、接着剤を切離しようとする改竄操作が行われた場合に確実に第１上側端面板に層間剥離を生じさせることができ、改竄操作が行われた場合にその痕跡を確実に残すことができる。
【００１８】
本発明の他の一つは、上記包装箱であって、前記第１上側端面板の表面及び裏面に形成された前記ハーフカット線は、前記第１上側端面板の表面に形成された前記ハーフカット線と、前記第１上側端面板の裏面に形成された前記ハーフカット線との間の領域に層間剥離を生じさせるように形成されていることを特徴とする。
【００１９】
本発明の他の一つは、上記包装箱であって、前記第１上側端面板の表面に、平行に延出する複数のハーフカット線が形成され、前記第１上側端面板の裏面に、表面の前記複数のハーフカット線と平行に延出し、前記複数のハーフカット線と対になって前記層間剥離を生じさせる、複数のハーフカット線が形成されていることを特徴とする。
【００２０】
本発明の他の一つは、上記包装箱であって、前記第１上側端面板の表面に、異なる方向に延出する複数のハーフカット線が形成され、前記第１上側端面板の裏面に、異なる方向に延出する複数のハーフカット線が形成されていることを特徴とする。
【００２１】
このように異なる方向に延出する複数のハーフカット線を形成することで、改竄操作が行われた際に層間剥離をより確実に生じさせることができる。
【００２２】
本発明の他の一つは、上記包装箱であって、前記他方の端面を塞ぐように、前記第２下側端面板が延設される前記側面板と対向する前記側面板に延設される第２上側端面板を更に含み、前記第２上側端面板及び前記第２下側端面板により前記筒体の前記他方の端面を塞いだ状態において、前記第２上側端面板は前記第２下側端面板の上に重ねて第２接着剤により接着され、前記第２上側端面板の表面及び裏面に、前記第２上側端面板に層間剥離を生じさせるハーフカット線が形成されていることを特徴とする。
【００２３】
このように包装箱の他方の端面についても一方の端面と同様の構造を設けることで、改竄を確実に防ぐことができる。
【００２４】
本発明の他の一つは、上記包装箱であって、前記第１上側端面板の表面に、前記第１上側端面板の端辺に沿って複数の第１の菱形状のハーフカット線が形成され、前記第１上側端面板の裏面に、前記複数の前記第１の菱形状のハーフカット線の夫々に対応して、第１上側端面板の端辺に沿って複数の第２の菱形状のハーフカット線が形成され、前記第１の菱形状のハーフカット線と当該第１の菱形状のハーフカット線に対応する第２の菱形状のハーフカット線との間に前記層間剥離を生じさせる領域が形成されていることを特徴とする。
【００２５】
本発明によれば、悪意者が、例えば、第１下側端面板と第１上側端面板との間にカッターの刃等を差し込み、第１下側端面板と第１上側端面板との間の接着剤を切離しようとした場合、第１上側端面板にカッターを動かすことによって生じる力や刃の厚みによって生じる力が加わり、第１の菱形状のハーフカット線と当該第１の菱形状のハーフカット線に対応する第２の菱形状のハーフカット線との間に層間剥離が生じ、包装箱に改竄操作がされたことの痕跡が残る。とくに第１上側端面板には上側に開こうとする力が作用し、また第１上側端面板の下面は接着剤で固定されているので、第１の菱形状のハーフカット線による菱形部分は上記層間剥離によって第１上側端面板から離脱しやすく、カッターの刃等が差し込まれる等の改竄操作に対して敏感に反応して層間剥離が誘発され、改竄操作が行われた痕跡を包装箱に確実に残すことができる。尚、菱形状のハーフカット線は美観性（デザイン性）にも優れる。
【００２６】
本発明の他の一つは、包装箱であって、筒体を構成する４つの側面板、前記筒体の一方の端面を塞ぐように前記側面板の一つに延設される第１端面板、前記筒体の他方の端面を塞ぐように前記側面板の一つに延設される第２端面板、前記第１端面板に延設される差込部、を含み、前記第１端面板により前記筒体の前記一方の端面を塞いだ状態において、前記差込部は前記側面板の一つと接着剤により接着され、前記差込部と前記接着剤により接着される前記側面板の表面及び裏面に、前記側面板に層間剥離を生じさせるハーフカット線が形成されていることを特徴とする。
【００２７】
このように、改竄操作が行われた際に層間剥離を生じさせる構造は、包装箱の端面板以外の部分に設けることもできる。本発明では上記構造を側面板に設けており、側面板の表面及び裏面にハーフカット線を形成している。このため、悪意者が、例えば、側面板と差込部との間にカッター等を差し込み、両者を接合している接着剤を切断して包装箱の端面を開けようとすると、カッター等を動かすことによって生じる力や刃の厚みによって生じる力により層間剥離が生じて包装箱に改竄操作がされたことの痕跡を確実に残すことができる。
【００２８】
本発明の他の一つは、上記包装箱であって、前記差込部と前記接着剤により接着される前記側面板の表面に、前記側面板の端辺を底辺とする第１の三角形状のハーフカット線が形成され、前記側面板の裏面に、前記側面板の端辺を底辺とし、前記側面板を透過的に見た場合に前記第１の三角形状のハーフカット線が収容されるように第２の三角形状のハーフカット線が形成され、前記第１の三角形状のハーフカット線と前記第２の三角形状のハーフカット線との間に前記層間剥離を生じさせる領域が形成されていることを特徴とする。
【００２９】
本発明によれば、悪意者が、例えば、側面板と差込部との間にカッター等を差し込み、両者を接合している接着剤を切断して包装箱の端面を開けようとすると、カッター等を動かすことによって生じる力や刃の厚みによって生じる力により、第１の三角形状のハーフカット線と第２の三角形状のハーフカット線との間に層間剥離が生じ、包装箱に改竄操作がされたことの痕跡を包装箱に確実に残すことができる。尚、三角形状のハーフカット線は美観性（デザイン性）にも優れる。
【００３０】
本発明の他の一つは、上記包装箱であって、前記差込部と前記接着剤により接着される前記側面板の表面に、前記側面板の端辺を下底とする第１の台形状のハーフカット線が形成され、前記側面板の裏面に、前記側面板の端辺を下底とし、前記側面板を透過的に見た場合に前記第１の台形状のハーフカット線が収容されるように第２の台形状のハーフカット線が形成され、前記第１の台形状のハーフカット線と前記第２の台形状のハーフカット線との間に前記層間剥離を生じさせる領域が形成されていることを特徴とする。
【００３１】
本発明によれば、悪意者が、例えば、側面板と差込部との間にカッター等を差し込み、両者を接合している接着剤を切断して包装箱の端面を開けようとすると、カッター等を動かすことによって生じる力やカッターの刃等の厚みによって生じる力により、第１の台形状のハーフカット線と第２の台形状のハーフカット線との間に層間剥離が生じ、包装箱に改竄操作がされたことの痕跡を包装箱に確実に残すことができる。尚、台形状のハーフカット線は美観性（デザイン性）にも優れる。
【００３２】
本発明の他の一つは、包装箱であって、内容物が収納される空間を構成する一つ以上の第１面板、前記空間を封止すべく前記第１面板に接着剤により接着される一つ以上の第２面板、を含み、前記第１面板に層間剥離を生じさせるべく前記第１面板の表面及び裏面に形成される一つ以上のハーフカット線、及び、前記第２面板に層間剥離を生じさせるべく前記第２面板の表面及び裏面に形成される一つ以上のハーフカット線、のうちの少なくともいずれかが形成されていることを特徴とする。
【００３３】
このように改竄操作が行われた際に層間剥離を生じさせるための構造（ハーフカット線）は、内容物が収納される空間を構成する第１面板や上記空間を封止すべく第１面板に接着される第２面板の少なくともいずれかの適切な位置に設けることができる。
【００３４】
本発明の他の一つは、上記包装箱であって、着色層を有するブランクシートを折り曲げて立ち上げることにより構成され、前記ハーフカット線は、前記層間剥離が生じた際に前記着色層が露出するように形成されていることを特徴とする。
【００３５】
このように包装箱を、着色層を有するブランクシートを用いて構成することで、悪意者がカッター等を用いて改竄操作を行った際に層間剥離によって着色層が露出し、包装箱をユーザや販売者等が改竄操作が行われたことが明確に認識可能な状態とすることができる。尚、ハーフカット線は、例えば、着色層に達する深さで形成する。
【００３６】
本発明の他の一つは、上記包装箱であって、着色層を有するブランクシートを折曲線に沿って折り曲げて立ち上げることにより構成され、前記折曲線は、前記折り曲げによって前記着色層が露出するように破断する破断線として機能することを特徴とする。
【００３７】
本発明によれば、折曲線（破断線）は、当該折曲線（破断線）の切れ目（例えば、ミシン目の切れ目）や包装箱の製函時に当該折曲線が折り曲げられることにより生じる亀裂（例えば、ミシン目のつなぎの部分の表面に形成される亀裂）から着色層を露出させることができる。そのため、包装箱や内容物が正しい製造ルートで流通したものであることを証明することができ、包装箱や内容物の偽造を防ぐことができる。
【００３８】
本発明の他の一つは、包装箱であって、筒体を構成する４つの側面板、前記筒体の一方の端面を塞ぐように前記側面板の一つに延設される第１端面板、前記筒体の他方の端面を塞ぐように前記側面板の一つに延設される第２端面板、前記第１端面板に延設される差込部、を含み、前記第１端面板により前記筒体の前記一方の端面を塞いだ状態において、前記差込部は一の前記側面板と接着剤により接着され、前記一の側面板の表面及び裏面に、前記差込部を前記一の側面板から離脱させるように前記側面板に層間剥離を生じさせるハーフカット線が形成されている、ことを特徴とする。
【００３９】
本発明によれば、一の側面板の表面及び裏面に、差込部を一の側面板から離脱させるように側面板に層間剥離を生じさせるハーフカット線が形成されているので、ハーフカット線に起因して生じる上記層間剥離により包装箱の筒体の一端を開口させることができる。これによれば、押込部等を別途設けることなく包装箱の開封機構を実現することができ、包装箱の製造に際して押込部等を形成するための工程を省略することができる。また押込部等がないことで外観をシンプルにすることができ、包装箱の美観性を向上させることができる。
【００４０】
本発明の他の一つは、上記包装箱であって、前記層間剥離は、前記一の側面板の、当該側面板の表面の前記ハーフカット線と当該側面板の裏面の前記ハーフカット線との間の領域に生じることを特徴とする。
【００４１】
本発明の他の一つは、上記包装箱であって、前記側面板の表面の前記ハーフカット線は、前記側面板の裏面の前記ハーフカット線の内側に形成されていることを特徴とする。
【００４２】
本発明の他の一つは、上記包装箱であって、前記側面板の表面の前記ハーフカット線は、前記側面板の裏面の前記ハーフカット線の外側に形成されていることを特徴とする。
【００４３】
本発明の他の一つは、上記包装箱であって、着色層を有するブランクシートを折り曲げて立ち上げることにより構成され、前記ハーフカット線は、前記層間剥離が生じた際に前記着色層が露出するように形成されていることを特徴とする。
【００４４】
本発明によれば、包装箱が開封されたり改竄されたりすれば着色層が露出するので、開封や改竄が行われたことを明確にユーザに示すことができる。
【００４５】
その他、本願が開示する課題、及びその解決方法は、発明を実施するための形態の欄、及び図面により明らかにされる。
【発明の効果】
【００４６】
本発明によれば、簡素な構造でありながら、改竄操作が行われた場合に確実に痕跡を残すことが可能な包装箱を実現することができる。
【図面の簡単な説明】
【００４７】
【図１】第１実施形態の包装箱の開封前の状態（封緘状態）を示す斜視図である。
【図２】第１実施形態の包装箱の開封後の状態（開封状態）を示す斜視図である。
【図３】ブランクを包装箱の表面側から眺めた図である。
【図４】ブランクを包装箱の裏面側から眺めた図である。
【図５】包装箱の組み立てから廃棄までの流れを説明するフローチャートである。
【図６】改竄操作が行われている様子を示す図である。
【図７】改竄操作が行われている様子を示す図である。
【図８】ブランクを包装箱の表面側から眺めた図である。
【図９】ブランクを包装箱の裏面側から眺めた図である。
【図１０】第２実施形態の包装箱の開封前の状態（封緘状態）を示す斜視図である。
【図１１】第２実施形態の包装箱の開封後の状態（開封状態）を示す斜視図である。
【図１２】ブランクを包装箱の表面側から眺めた図である。
【図１３】ブランクを包装箱の裏面側から眺めた図である。
【図１４】包装箱の製造から廃棄までの流れを説明するフローチャートである。
【図１５】第２実施形態の包装箱のハーフカット線の他の設定例を示す図であり、ブランクを包装箱の表面側から眺めた図である。
【図１６】第２実施形態の包装箱のハーフカット線の他の設定例を示す図であり、ブランクを包装箱の裏面側から眺めた図である。
【図１７】ブランクシートとして用いる着色紙の層構造の一例である。
【図１８】着色紙をブランクシートとして用いて構成した、図１乃至図４に示す構造からなる包装箱に改竄操作が行われた後の状態を示す包装箱の斜視図である。
【図１９】着色紙をブランクシートとして用いて構成した、図８乃至図９に示す構造からなる包装箱に改竄操作が行われた後の状態を示す図である。
【図２０】着色紙をブランクシートとして用いて構成した、図１０乃至図１３に示す構造からなる包装箱に改竄操作が行われた後の状態を示す図である。
【図２１】着色紙をブランクシートとして用いて構成した、図１５乃至図１６に示す構造からなる包装箱に改竄操作が行われた後の状態を示す図である。
【図２２】図１８（図１乃至図４）に示す構造からなる包装箱の稜線を夫々ミシン目とした場合における当該包装箱の斜視図である。
【図２３】第１の台形及び第２の台形を押込部として機能させるように形成した包装箱の例である。
【図２４】第１の台形及び第２の台形を背面板に設けた包装箱の例である。
【図２５】正面板の表面側のハーフカット線が正面板の裏面側のハーフカット線の外側になるように形成した包装箱の例である。
【図２６】図２５と同様の構造を、第１の台形及び第２の台形を背面板に有する包装箱に適用した例である。
【図２７】包装箱のブランク（表面側）の一例である。
【図２８】包装箱のブランク（裏面側）の一例である。
【図２９】図２７及び図２８に示すブランクに基づく包装箱５０の斜視図である。
【発明を実施するための形態】
【００４８】
以下、本発明の実施の形態につき図面とともに説明する。尚、以下の説明において、同一の又は類似する構成について同一の符号を付して重複した説明を省略することがある。
【００４９】
＝第１実施形態＝
図１は、本発明の一実施形態として説明する包装箱１０の開封前の状態（封緘（封函）状態）を示す斜視図である。また図２は、包装箱１０の開封後の状態（開封状態）を示す斜視図である。これらの図に示すように、包装箱１０の全体は略直方体状を呈する。
【００５０】
図３は、図１（又は図２）に示した包装箱１０の形成片（以下、「ブランク５」とも称する。）を包装箱１０の表面側から眺めた図であり、図４は、ブランク５を、包装箱１０の裏面側から眺めた図である。ブランク５は、例えば、厚紙や板紙等のブランクシートを打ち抜くことにより形成される。
【００５１】
図３及び図４において、破線は山折線を、一点鎖線は谷折線を、点線は破断線を、実線は切込線を、夫々示す。破断線は、例えば、ハーフカット線（ブランク５の厚みの一部を残して切り込んだ切込線）、ミシン目、断続的に形成されたつなぎ部分を有する切込線等である。破断線は山折線や谷折線として機能することもある。
【００５２】
図３に示すように、ブランク５は、夫々の長尺辺が互いに平行になるように連接された４つの側面板（第１側面板１１、正面板１２、第２側面板１３、及び背面板１４）、上記４つの側面板の連接方向の一端に延設された接続片１７（グルーフラップ）、背面板１４の、上記連接方向に対して直角方向の短尺辺の一方に延設された第１下側端面板１５（天面板の構成要素）、背面板１４の上記連接方向に対して直角方向の短尺辺の他方に延設された第２下側端面板１６（底面板の構成要素）、正面板１２の第１下側端面板１５が存在する側に延設された第１上側端面板１２１（天面板の構成要素）、及び正面板１２の第２下側端面板１６が存在する側に延設された第２上側端面板１２２（底面板の構成要素）、を有する。
【００５３】
第１側面板１１、正面板１２、第２側面板１３、背面板１４、及び接続片１７は、夫々の長尺辺を境界としてこの順に連接されており、これらを折り曲げて組み立てることにより、包装箱１０の内容物が収納される空間を形成する角筒状の筒体が形成される。上記筒体の形成に際し、接続片１７は、その裏面側又は表面側に接着剤（ホットメルト等）が塗布され、第１側面板１１の表面側又は裏面側に接着される。
【００５４】
正面板１２及び背面板１４は同形状（略長方形状）であり、これらは前述した筒体の一対の側面を構成する。また第１側面板１１と第２側面板１３は同形状（略長方形状）であり、これらは前述した筒体の一対の側面を構成する。
【００５５】
第１下側端面板１５、第２下側端面板１６、第１上側端面板１２１、及び第２上側端面板１２２は、夫々、４つの側面板で構成される包装箱１０の、前述した筒体の対面する２つの端面を塞ぐように機能する。尚、本例では、正面板１２又は背面板１４の面積が、第１側面板１１又は第２側面板１３の面積よりも広くなっているが、これらの面積比は必ずしも同図に示す態様に限られない。また各側面板の長尺辺と短尺辺との関係（いずれの辺を長尺辺又は短尺辺とするか）についても同図に示す態様に限られない。
【００５６】
同図に示すように、第１側面板１１と正面板１２との境界には山折線３１が、正面板１２と第２側面板１３との境界には山折線３２が、夫々形成されている。また第２側面板１３と背面板１４との境界には山折線４１が、背面板１４と接続片１７との境界には山折線４２が、夫々形成されている。山折線３１、山折線３２、山折線４１、及び山折線４２は、いずれも互いに平行である。
【００５７】
第１側面板１１の、前述した筒体が形成された状態で第１下側端面板１５が存在する側には、山折線６１を介してフラップ１１１が、また第１側面板１１の、前述した筒体が形成された状態で第２下側端面板１６が存在する側には、山折線６２を介してフラップ１１２が、夫々延設されている。
【００５８】
第２側面板１３の、前述した筒体が形成された状態で第１下側端面板１５が存在する側には、山折線６３を介してフラップ１３１が、また第２側面板１３の、前述した筒体が形成された状態で第２下側端面板１６が存在する側には、山折線６４を介してフラップ１３２が、夫々延設されている。
【００５９】
第１上側端面板１２１は、山折線３９を介して正面板１２に延設されている。また第２上側端面板１２２は、山折線６６を介して正面板１２に延設されている。第１下側端面板１５は、山折線３５を介して背面板１４に延設されている。第２下側端面板１６は、山折線３８を介して背面板１４に延設されている。
【００６０】
正面板１２の、第１上側端面板１２１が延設されている側の縁部の中央付近には、略矩形状の押込部１２５が形成されている。押込部１２５の周縁には、破断線３９１（ミシン目、断続的に形成されたつなぎ部分を有する切込線等）が形成されている。
【００６１】
包装箱１０が封緘（封函）状態にあるとき、第１下側端面板１５と第１上側端面板１２１とは、第１下側端面板１５の表面の所定領域（同図では山折線３５寄りの山折線３５に沿った矩形状領域）に塗布された接着剤Ｇａにより接着され、第１下側端面板１５の表面に第１上側端面板１２１が重なった状態となる。
【００６２】
同様に、包装箱１０が封緘（封函）状態にあるとき、第２下側端面板１６と第２上側端面板１２２とは、第２下側端面板１６の表面の所定領域（同図では山折線３８寄りの山折線３８に沿った矩形状領域）に塗布された接着剤Ｇｂにより接着され、第２下側端面板１６の表面に第２上側端面板１２２が重なった状態となる。
【００６３】
接着剤Ｇａ，Ｇｂとしては、例えば、ホットメルトが用いられる。尚、接着剤Ｇａ，Ｇｂを塗布する領域の位置や面積は必ずしも限定されない。
【００６４】
図３に示すように、第１上側端面板１２１の表面の中央付近には、山折線３９に対して垂直な方向に延出する２つのハーフカット線７１ａ，７１ｂが形成されている。同図に示すように、２つのハーフカット線７１ａ，７１ｂは互いに平行に延出し、夫々の端部は第１上側端面板１２１の端辺に達している。尚、本例では、２つのハーフカット線７１ａ，７１ｂの間隔は、押込部１２５の山折線３９に沿った辺の幅程度としているが、２つのハーフカット線７１ａ，７１ｂの間隔は必ずしも限定されず、上記間隔は、改竄操作に対する痕跡の残りやすさ（後述する層間剥離の生じやすさ）や包装箱１０の強度確保等の観点から適切に設定される。
【００６５】
また同図に示すように、第１上側端面板１２１の表面には、２つのハーフカット線７１ａ，７１ｂの夫々から山折線３９に平行に延出する、複数のハーフカット線７２ａ及び複数のハーフカット線７２ｂが形成されている。尚、複数のハーフカット線７２ａの間隔（ピッチ）及び複数のハーフカット線７２ｂの本数や間隔（ピッチ）は必ずしも限定されず、改竄操作に対する痕跡の残りやすさ（後述する層間剥離の生じやすさ）や包装箱１０に要求される強度確保等の観点から適切に設定される。
【００６６】
同図に示すように、第１上側端面板１２１の表面の中央付近には、山折線３９に平行に、その中央部に一つ以上のつなぎ部分を有する切込線７３が形成されている。切込線７３は、第１上側端面板１２１の後述する層間剥離を誘発するように作用する。切込線７３の端部はハーフカット線７１ａ，７１ｂに達している。尚、切込線７３の態様は必ずしも限定されず、改竄操作に対する痕跡の残りやすさ（後述する層間剥離の生じやすさ）や包装箱１０に要求される強度確保等の観点から適切に設定される。
【００６７】
図４に示すように、第１上側端面板１２１の裏面の中央付近には、表面の山折線３９に対して垂直な方向に延出する２つのハーフカット線８１ａ，８１ｂが形成されている。同図に示すように、２つのハーフカット線８１ａ，８１ｂは、互いに平行に延出し、夫々の端部は第１上側端面板１２１の端辺に達している。尚、本例では、２つのハーフカット線８１ａ，８１ｂの間隔は、押込部１２５の山折線３９に沿った辺の幅程度としているが、２つのハーフカット線８１ａ，８１ｂの間隔は必ずしも限定されず、改竄操作に対する痕跡の残りやすさ（後述する層間剥離の生じやすさ）や包装箱１０に要求される強度確保等の観点から適切に設定される。
【００６８】
同図に示すように、第１上側端面板１２１の裏面には、２つのハーフカット線８１ａ，８１ｂの夫々から山折線３９に平行に延出する、複数のハーフカット線８２ａ及び複数のハーフカット線８２ｂが形成されている。尚、複数のハーフカット線８２ａの間隔（ピッチ）及び複数のハーフカット線８２ｂの本数や間隔（ピッチ）は必ずしも限定されず、改竄操作に対する痕跡の残りやすさ（後述する層間剥離の生じやすさ）や包装箱１０に要求される強度確保等の観点から適切に設定される。
【００６９】
図３及び図４に示すように、第１上側端面板１２１の裏面に設けられている２つのハーフカット線８１ａ，８１ｂは、いずれも第１上側端面板１２１の表面に設けられているハーフカット線７１ａ，７１ｂに対して、山折線３９に沿った方向に平行に若干ずれた位置（例えば、２ｍｍ程度）に形成されている。これにより第１上側端面板１２１の表面のハーフカット線７１ａと、これに隣接する、第１上側端面板１２１の裏面のハーフカット線８１ａと、で挟まれる領域、並びに、第１上側端面板１２１の表面のハーフカット線７１ｂと、これに隣接する、第１上側端面板１２１の裏面のハーフカット線８１ｂと、で挟まれる領域に、層間剥離が生じやすくなる。
【００７０】
また第１上側端面板１２１の裏面に設けられている複数のハーフカット線８２ａ及び複数のハーフカット線８２ｂは、いずれも第１上側端面板１２１の表面に設けられている複数のハーフカット線７２ａ及び複数のハーフカット線７２ｂとは、若干ずれた位置（例えば、２ｍｍ程度）に形成されている。これにより第１上側端面板１２１の表面のハーフカット線７２ａと、これに隣接する、第１上側端面板１２１の裏面のハーフカット線８２ａと、で挟まれる領域、並びに、第１上側端面板１２１の表面のハーフカット線７２ｂと、これに隣接する、第１上側端面板１２１の裏面のハーフカット線８２ｂと、で挟まれる領域に、層間剥離が生じやすくなる。
【００７１】
以上では、第１上側端面板１２１を例として説明したが、第２上側端面板１２２についても、第１上側端面板１２１と同様の構成（第２上側端面板１２２の表面における、２つのハーフカット線７５ａ，７５ｂ、複数のハーフカット線７６ａ、及び複数のハーフカット線７６ｂ、切込線７７、第２上側端面板１２２の裏面における、２つのハーフカット線８５ａ，８５ｂ、複数のハーフカット線８６ａ、及び複数のハーフカット線８６ｂ）が設けられており、これらについても第１上側端面板１２１と同様の作用効果（改竄操作によって第２上側端面板１２２の層間剥離を生じさせる作用効果）を奏する。
【００７２】
尚、包装箱１０の一般的な製造工程において、第１上側端面板１２１や第２上側端面板１２２に以上のような構成（ハーフカット線や切込線）を設けることは、一般的な包装箱の製造装置を用いて容易に実現することが可能であり、製造工程に与える影響が少ないという利点がある。
【００７３】
［製造から廃棄までの流れ］
続いて、図５に示すフローチャートとともに、包装箱１０の製造から廃棄（組み立て→箱詰め→封緘（封函）→開封→廃棄）までの流れについて説明する。尚、以下において用いるブランク５には、既に前述したハーフカット線（ハーフカット線７１ａ，７１ｂ、ハーフカット線７２ａ，７２ｂ、ハーフカット線７５ａ，７５ｂ、ハーフカット線７６ａ，７６ｂ、ハーフカット線８１ａ，８１ｂ、ハーフカット線８２ａ，８２ｂ，ハーフカット線８５ａ，８５ｂ、ハーフカット線８６a，８６ｂ）や切込線（切込線７３、切込線７７）が形成済であるものとする。
【００７４】
包装箱１０の組み立てに際しては、まずカートニングマシン（製函機）等を用い、ブランク５の４つの側面板（第１側面板１１、正面板１２、第２側面板１３、及び背面板１４）と接続片１７の折り曲げ（山折線３１，３２，４１，４２に沿った折り曲げ）等が行われる（Ｓ５１１）。
【００７５】
続いて、接続片１７の表面（又は裏面）に接着剤を塗布し、接続片１７の表面（又は裏面）を第１側面板１１の裏面（又は表面）に接着する（Ｓ５１２）。尚、例えば、包装箱１０の製造業者は、輸送（運送）効率のよいこの状態のときに包装箱１０を内容物の製造業者に引き渡す。
【００７６】
続いて、カートニングマシン（製函機）等を用いてブランク５を立体的に立ち上げ、第２下側端面板１６の表面と第２上側端面板１２２の裏面を接着剤Ｇｂ（ホットメルト等）により接着して上記筒体の底面側の端面を閉じることにより、前述した各筒状の筒体を形成する（Ｓ５１３）。
【００７７】
続いて、箱詰機等を用いて筒体に包装箱１０の内容物を充填し（Ｓ５１４）、第１下側端面板１５と第１上側端面板１２１とを接着剤Ｇａにより接着し、包装箱１０を封緘（封函）する（Ｓ５１５）。
【００７８】
その後、包装箱１０は流通経路等を経てユーザの手にわたる。ユーザは、まず包装箱１０の押込部１２５を親指等で押し込むことにより破断線３９１を破断させ、続いて、第１下側端面板１５（及び第１上側端面板１２１）を押し上げる。これにより包装箱１０は図２に示す開封状態となる（Ｓ５１６）。ユーザはこの状態で包装箱１０から内容物を取り出す。その後、包装箱１０は解体等されて廃棄される（Ｓ５１７）。
【００７９】
［改竄防止機能］
続いて、包装箱１０の改竄防止機能について説明する。尚、以下では、第１上側端面板１２１側に改竄操作が行われる場合を例として説明するが、第２上側端面板１２２側について改竄操作が行われた場合においても同様である。
【００８０】
図６は、悪意者がカッターＮを用いて包装箱１０の端面（第１下側端面板１５及び第１上側端面板１２１）を開けようとする改竄操作を行っている様子を示す図である。この例では、悪意者は、包装箱１０に痕跡を残さぬよう、第１下側端面板１５と第１上側端面板１２１との間にカッターＮの刃を差し込み、第１下側端面板１５と第１上側端面板１２１との間の接着剤Ｇａの層を慎重に切離しようとしている。
【００８１】
しかし悪意者がこうした改竄操作を行った場合、第１上側端面板１２１には、接着剤Ｇａの層を切離しようとしてカッターＮを動かすことによって生じる力や、刃の厚みによって生じる力が加わり、ハーフカット線（ハーフカット線７１ａ，７１ｂ、ハーフカット線７２ａ，７２ｂ、ハーフカット線７５ａ，７５ｂ、ハーフカット線７６ａ，７６ｂ、ハーフカット線８１ａ，８１ｂ、ハーフカット線８２ａ，８２ｂ，ハーフカット線８５ａ，８５ｂ、ハーフカット線８６a，８６ｂ）や切込線（切込線７３、切込線７７）の作用により第１上側端面板１２１に層間剥離が生じ、包装箱１０に改竄操作がされたことの痕跡が残る。
【００８２】
尚、このように本実施形態では、改竄操作によって層間剥離を生じさせる構造として、第１上側端面板１２１にハーフカット線（ハーフカット線７１ａ，７１ｂ、ハーフカット線７２ａ，７２ｂ、ハーフカット線８１ａ，８１ｂ、ハーフカット線８２ａ，８２ｂ）を設けているが、切込線と異なり、ハーフカット線は紙面（ブランク５）の反対側に接着剤を透過させないため、包装箱１０の製造工程や輸送、箱詰め等の工程において接着剤Ｇａが漏れてしまうようなことがないという利点を有する。また上記の例では切込線７３や切込線７７を設けているが、これらの部分に接着剤Ｇａの領域が重ならないようにすることで接着剤Ｇａや接着剤Ｇｂの漏れを確実に防ぐことができる。またブランク５や包装箱１０には、製造や輸送、箱詰め等の工程において外力による屈曲等に対する強度を持たせる必要があるが、ハーフカット線は包装箱１０の強度に与える影響が少なく、ブランク５や包装箱１０に必要な強度を確保することができる。
【００８３】
ハーフカット線の少なくとも一部は、第１上側端面板１２１の接着剤Ｇａが塗布される領域の面にかかるように形成することが好ましい。そのようにすることで、接着剤Ｇａを切離しようとする改竄操作が行われた場合により確実に第１上側端面板１２１に層間剥離を生じさせることができる。
【００８４】
以上では、改竄操作の例として、悪意者がカッターＮを用いて第１下側端面板１５と第１上側端面板１２１との間の接着剤Ｇａの層を切離しようとした場合について説明した。別の改竄操作として、例えば、図７に示すように、悪意者がドライヤー等の加熱装置Ｈを用いて第１上側端面板１２１に熱を加え、接着剤Ｇａ，Ｇｂを溶融させる操作を行うといったことも想定される。
【００８５】
こうした改竄操作に対しては、例えば、接着剤Ｇａや接着剤Ｇｂが塗布される部分の近傍の、第１上側端面板１２１や第２上側端面板１２２の表面に、熱を加えると変性する物質を設けることが考えられる。具体的には、例えば、第１上側端面板１２１や第２上側端面板１２２の表面に熱を加えると変色する性質を有する成分を含んだ物質（塗料や顔料）を塗布するようにする。また例えば、接着剤Ｇａや接着剤Ｇｂが塗布される部分の近傍の、第１上側端面板１２１や第２上側端面板１２２の表面に、熱を加えると収縮する物質（樹脂フィルム等）を設けてもよい（接着、貼り付け等）。
【００８６】
但し、包装箱１０の製造工程には、接着剤Ｇａ，Ｇｂを加熱する工程が含まれているため、上記物質としては、製造工程で印加される熱によっては変性しない性質を有するものを選択する。以上の対策を講じることで、想定される改竄操作に対して確実に対応する（改竄操作の痕跡を残す）ことができる。
【００８７】
以上詳細に説明したように、本実施形態によれば、簡素な構造でありながら、改竄操作が行われた場合に確実に痕跡を残すことが可能な包装箱を実現することができる。
【００８８】
以上の例では、層間剥離が生じやすくなるようにハーフカット線を縦横方向に形成しているが、ハーフカット線や切込線の態様は以上に説明したものに限られず、包装箱１０の形態や大きさ、ブランク５の素材の性質等に応じて様々な態様で設定することが可能である。
【００８９】
図８及び図９は、層間剥離を生じさせるべく第１上側端面板１２１及び第２上側端面板１２２に設けられるハーフカット線の他の設定例である。図８は、包装箱１０のブランク５を包装箱１０の表面側から眺めた図であり、図９は、ブランク５を包装箱１０の裏面側から眺めた図である。尚、同図に示すブランク５の第１上側端面板１２１及び第２上側端面板１２２以外の構成については図３及び図４と同様であるので説明を省略する。
【００９０】
図８に示すように、第１上側端面板１２１の表面の端辺の近傍には、当該端辺に沿って整列する同形同大の複数（本例では４つ）の菱形状のハーフカット線９１ａ〜９１ｄが設けられている。また第２上側端面板１２２の表面の端辺の近傍には、当該端辺に沿って整列する同形同大の複数（本例では４つ）の菱形状のハーフカット線９１ｅ〜９１ｈが設けられている。いずれのハーフカット線９１ａ〜９１ｈについても、菱形の一方の対角線は山折線３９に平行であり、菱形の他方の対角線は山折線３９に垂直である。尚、本例では、整列する菱形状のハーフカット線の数を４つとしているが、菱形状のハーフカット線の数は必ずしも同図に示すものに限定されない。
【００９１】
図９に示すように、第１上側端面板１２１の裏面の端辺の近傍には、当該端辺に沿って整列する同形同大の複数（本例では４つ）の菱形状のハーフカット線９２ａ〜９２ｄが設けられている。また第２上側端面板１２２の裏面の端辺の近傍には、当該端辺に沿って整列する同形同大の複数（本例では４つ）の菱形状のハーフカット線９２ｅ〜９２ｈが設けられている。いずれのハーフカット線９２ａ〜９２ｈについても、菱形の一方の対角線は山折線６６に平行であり、菱形の他方の対角線は山折線６６（裏面から見た場合は谷折線）に垂直である。
【００９２】
図８及び図９に示すように、ブランク５の裏面に設けられる菱形状のハーフカット線９２ａ〜９２ｈの夫々は、ブランク５の表面に設けられる菱形状のハーフカット線９１ａ〜９１ｈの夫々と一対一に対応している。即ち、ハーフカット線９１ａとハーフカット線９２ａ、ハーフカット線９１ｂとハーフカット線９２ｂ、ハーフカット線９１ｃとハーフカット線９２ｃ、ハーフカット線９１ｄとハーフカット線９２ｄ、ハーフカット線９１ｅとハーフカット線９２ｅ、ハーフカット線９１ｆとハーフカット線９２ｆ、ハーフカット線９１ｇとハーフカット線９２ｇ、ハーフカット線９１ｈとハーフカット線９２ｈが、夫々対応している。
【００９３】
ブランク５の表裏を透過的に眺めた場合、対応する各組合せにおける表面及び裏面のハーフカット線の菱形の中心（夫々の対角線の交点）は一致している。またブランク５の表面の菱形状のハーフカット線９１ａ〜９１ｈと、夫々に対応するブランク５の裏面の菱形状のハーフカット線９２ａ〜９２ｈの夫々とはサイズが異なり、表面の菱形は裏面の菱形よりも小さくなっている。そのため、ブランク５の表裏を透過的に眺めた場合、表面のハーフカット線は裏面の菱形状のハーフカット線の内側に収容される。そしてこれにより対応する各組合せにおける表面のハーフカット線と裏面のハーフカット線との間に、層間剥離が生じやすい領域（以下、層間剥離領域と称する。）が形成されている。
【００９４】
先の例と同様、本例の場合も、例えば、悪意者が第１下側端面板１５と第１上側端面板１２１との間にカッターを差し込み、カッターを操作して接着剤Ｇａを切断して包装箱１０の端面を開けようとすると、第１上側端面板１２１に、カッターを動かすことによって生じる力や、刃の厚みによって生じる力が加わり、その結果、層間剥離領域が層間剥離して包装箱１０に改竄操作がされたことの痕跡が残る。とくに第１上側端面板１２１には山折線３９を支点として上側に開こうとする力が作用し、また第１上側端面板１２１の下面は接着剤Ｇａで固定されているので、表面の菱形状のハーフカット線による菱形部分は上記層間剥離によって第１上側端面板１２１から離脱しやすく、カッターの刃が差し込まれる等の改竄操作に対して敏感に反応して層間剥離が誘発され、改竄操作が行われた痕跡を包装箱１０に確実に残すことができる。こうした事情は、第２下側端面板１６と第２上側端面板１２２との間にカッターが差し込まれた場合も同様である。
【００９５】
尚、層間剥離は、カッター等を用いた意図的な改竄操作に対しては敏感に反応して生じるが、包装箱１０の製造時や輸送時、使用時等において層間剥離が自然に生じることはない。また先の例と同様、ハーフカット線は紙面（ブランク５）の反対側に接着剤を透過させないため、包装箱１０の製造工程や輸送、箱詰め等の工程において接着剤Ｇａや接着剤Ｇｂがブランク５の表面側に漏れてしまうようなことがない。またハーフカット線は包装箱１０の強度に与える影響が少なく、ブランク５や包装箱１０に必要な強度を確保することができるという利点がある。また菱形状のハーフカット線は美観性（デザイン性）にも優れる。
【００９６】
また先の例と同様、本例においても、接着剤Ｇａや接着剤Ｇｂが塗布される部分の近傍の、第１上側端面板１２１や第２上側端面板１２２の表面に、熱を加えると変色する性質を有する成分を含んだ物質（塗料や顔料）を塗布するようにしてもよい。また例えば、接着剤Ｇａや接着剤Ｇｂが塗布される部分の近傍の、第１上側端面板１２１や第２上側端面板１２２の表面に、熱を加えると収縮する物質（樹脂フィルム等）を設けてもよい（接着、貼り付け等）。
【００９７】
また改竄操作に対して層間剥離領域が敏感に反応して剥離するようにする観点からすれば、ブランク５の表面に設けられる菱形状のハーフカット線９１ａ〜９１ｈ及びブランク５の裏面に設けられる菱形状のハーフカット線９２ａ〜９２ｈは、接着剤Ｇａ又は接着剤Ｇｂが塗布される領域となるべく重なるように設けることが好ましい。
【００９８】
＝第２実施形態＝
図１０は、本発明の第２実施形態として説明する包装箱５０の開封前の状態（封緘（封函）状態）を示す斜視図である。また図１１は、包装箱５０の開封後の状態（開封状態）を示す斜視図である。これらの図に示すように、包装箱５０の全体は略直方体状を呈する。
【００９９】
図１２は、図１０又は図１１に示した包装箱５０のブランク５５を包装箱１０の表面側から眺めた図であり、図１３は、ブランク５５を、包装箱５０の裏面側から眺めた図である。尚、図１２及び図１３に表記している各線種の機能（折曲線、破断線等）は第１実施形態と必ずしも共通ではない。
【０１００】
図１２に示すように、ブランク５は、夫々の長尺辺が互いに平行になるように連接された４つの側面板（第１側面板６１１、背面板６１２、第２側面板６１３、及び正面板６１４）、上記４つの側面板の連接方向の一端に延設された接続片６１７（グルーフラップ）、正面板６１４の、上記連接方向に対して直角方向の短尺辺の一方に延設された第１端面板６１５（天面板）、及び正面板６１４の上記連接方向に対して直角方向の短尺辺の他方に延設された第２端面板６１６（底面板）を有する。
【０１０１】
第１側面板６１１、背面板６１２、第２側面板６１３、正面板６１４、及び接続片６１７は、夫々の長尺辺を境界としてこの順に連接されており、これらを折り曲げて組み立てることにより、包装箱５０の内容物が収納される空間を形成する角筒状の筒体が形成される。上記筒体の形成に際し、接続片６１７は、その表面側又は裏面側に接着剤（ホットメルト等）が塗布されて第１側面板６１１の裏面側又は表面側に接着される。
【０１０２】
背面板６１２と正面板６１４は同形状（略長方形状）であり、これらは前述した筒体の対向する一対の側面を構成する。また第１側面板６１１と第２側面板６１３は同形状（略長方形状）であり、これらは前述した筒体の対向する一対の側面を構成する。
【０１０３】
第１端面板６１５及び第２端面板６１６は夫々、４つの側面板で構成される包装箱５０の、前述した筒体の対向する２つの端面を塞ぐように機能する。尚、本例では、背面板６１２又は正面板６１４の面積が、第１側面板６１１又は第２側面板６１３の面積よりも広くなっているが、これらの面積比は必ずしも同図に示す態様に限られない。また各側面板の長尺辺と短尺辺との関係（いずれの辺を長尺辺又は短尺辺とするか）についても同図に示す態様に限られない。
【０１０４】
図１２に示すように、第１側面板６１１と背面板６１２との境界には山折線６３１が、背面板６１２と第２側面板６１３との境界には山折線６３２が、夫々形成されている。また第２側面板６１３と正面板６１４との境界には山折線６４１が、正面板６１４と接続片６１７との境界には山折線６４２が、夫々形成されている。山折線６３１、山折線６３２、山折線６４１、及び山折線６４２は、いずれも互いに平行である。
【０１０５】
同図に示すように、第１側面板６１１の、前述した筒体が形成された状態で第１端面板６１５が存在する側には、山折線６６１を介してフラップ６１１１が、また第１側面板６１１の、前述した筒体が形成された状態で第２端面板６１６が存在する側には、山折線６６２を介してフラップ６１１２が、夫々延設されている。また第２側面板６１３の、前述した筒体が形成された状態で第１端面板６１５が存在する側には、山折線６６３を介してフラップ６１３１が、また第２側面板６１３の、前述した筒体が形成された状態で第２端面板６１６が存在する側には、山折線６６４を介してフラップ６１３２が、夫々延設されている。尚、フラップの態様（枚数、形状等）は一例に過ぎない。
【０１０６】
第１端面板６１５は、山折線６６５を介して背面板６１２に連設されている。また第１端面板６１５の背面板６１２が存在する側とは逆側の端辺には、山折線６６７を介して差込部６１５１（舌片）が連設されている。尚、山折線６６７の両端部付近は切込線になっているが、これは差込部６１５１を筒体に差し込んで筒体の端面を第１端面板６１５により閉じる際の差込部６１５１の操作性を向上させるためである。差込部６１５１の表面の網掛領域Ｒ１，Ｒ２の全部又は一部には夫々、接着剤Ｇ１，Ｇ２（ホットメルト等）が塗布される。接着剤Ｇ１，Ｇ２は、例えば、全面塗布（ベタ塗り）でもよいし、スポット的に塗布してもよい。
【０１０７】
正面板６１４の、筒体の第１端面板６１５が設けられる側の端辺の中央付近には、略矩形状（略台形状）の押込部６１４５ａが形成されている。押込部６１４５ａの周縁は、包装箱５０の開封に際してユーザが外側から押込部６１４５ａを押し込むことにより破断する破断線６１４５１ａになっている。
【０１０８】
図１２に示すように、押込部６１４５ａの表面の中央付近には、正面板６１４の端辺（押込部６１４５ａの端辺）の一部を底辺とする三角形状のハーフカット線９５ａが設けられている。また図１３に示すように、押込部６１４５ａの裏面の中央付近には、正面板６１４の端辺（押込部６１４５ａの端辺）の一部を底辺とする三角形状のハーフカット線９６ａが設けられている。
【０１０９】
ここで押込部６１４５ａの表面のハーフカット線９５ａによる三角形（以下、第１の三角形とも称する。）は、押込部６１４５ａの裏面のハーフカット線９６ａによる三角形よりもサイズが小さく、ブランク５５の表裏を透過的に眺めた場合、押込部６１４５ａの裏面のハーフカット線９６ａの内側になるように形成されている。そしてこれにより、表面のハーフカット線９５ａによる三角形の２つの斜辺と裏面のハーフカット線９６ａによる三角形の２つの斜辺との間には、層間剥離が生じやすい領域（以下、第１層間剥離領域と称する。）が形成される。
【０１１０】
正面板６１４の、筒体の第２端面板６１６が設けられる側の端辺の中央付近には、略矩形状（略台形状）の押込部６１４５ｂが形成されている。押込部６１４５ｂの周縁は、包装箱５０の開封に際してユーザが外側から押込部６１４５ｂを押し込むことにより破断する破断線６１４５１ｂになっている。
【０１１１】
図１２に示すように、押込部６１４５ｂの表面の中央付近には、正面板６１４の端辺（押込部６１４５ｂの端辺）の一部を底辺とする三角形状のハーフカット線９５ｂが設けられている。また図１３に示すように、押込部６１４５ｂの裏面の中央付近には、正面板６１４の端辺（押込部６１４５ｂの端辺）の一部を底辺とする三角形状のハーフカット線９６ｂが設けられている。
【０１１２】
ここで押込部６１４５ｂの表面のハーフカット線９５ｂによる三角形（以下、第２の三角形とも称する。）は、押込部６１４５ｂの裏面のハーフカット線９６ｂによる三角形よりもサイズが小さく、ブランク５５の表裏を透過的に眺めた場合、押込部６１４５ｂの裏面のハーフカット線９６ｂの内側になるように形成されている。そしてこれにより、表面のハーフカット線９５ｂによる三角形の２つの斜辺と裏面のハーフカット線９６ｂによる三角形の２つの斜辺との間には、層間剥離が生じやすい領域（以下、第２層間剥離領域と称する。）が形成される。
【０１１３】
尚、本例では、第１の三角形と第２の三角形が同大となるように設定しているが、必ずしも同大でなくてもよい。また第１の三角形や第２の三角形において、夫々の形状や大きさは以上に示したものに必ずしも限定されない。
【０１１４】
［包装箱の組み立てと封緘］
以上に示した包装箱５０の組み立て及び封緘は次のようにして行われる。まず第１側面板６１１、背面板６１２、第２側面板６１３、正面板６１４、及び接続片６１７を折り曲げて接続片６１７と第１側面板６１１とを接着し、前述した角筒状の筒体を形成する。
【０１１５】
続いて、筒体の底面側の構成である、フラップ６１１２、フラップ６１３２、第２端面板６１６、及び差込部６１６１を夫々、山折線６６２、山折線６６４、山折線６６６、及び山折線６６８に沿って折り曲げる。そして差込部６１６１の表面の網掛領域Ｒ２に接着剤Ｇ２（ホットメルト等）を塗布し、差込部６１６１を筒体の端面に沿って差し込み、差込部６１６１の表面を正面板６１４の裏面に接着して筒体の一方の端面（底面）を閉じる。
【０１１６】
続いて、以上により底面が閉じられた筒体に内容物を充填し、筒体の天面側の構成である、フラップ６１１１、フラップ６１３１、第１端面板６１５、及び差込部６１５１を、夫々、山折線６６１、山折線６６３、山折線６６５、及び山折線６６７に沿って折り曲げる。そして差込部６１５１の網掛領域Ｒ１に接着剤Ｇ１（ホットメルト等）を塗布して差込部６１５１を筒体の端面に沿って差し込み、差込部６１５１の表面を正面板６１４の裏面に接着して筒体の他方の端面（天面）を閉じる。
【０１１７】
以上の手順を経ることで包装箱５０の組み立て及び封緘は完了する。これにより包装箱５０は図１０に示した状態となる。
【０１１８】
［包装箱の開封］
包装箱５０の開封は次のようにして行われる。まず例えば図１０に示す封緘（封函）状態の包装箱５０に対して押込部６１４５ａ（又は６４１５ｂ）を親指等で押し込んで破断線６１４５１ａ（又は破断線６１４５１ｂ）を破断させ、それにより形成される孔に指を掛けて差込部６１５１（又は差込部６１６１）とともに第１端面板６１５又は第２端面板６１６を引き上げる。これにより包装箱５０は、例えば、図１１に示した開封状態となる。尚、このように包装箱５０の開封に際しては必ず破断線６１４５１ａ（又は破断線６１４５１ｂ）を破断させる必要があり、破断線６１４５１ａ（又は破断線６１４５１ｂ）が破断しているか否かを確認することで包装箱５０が開封されたか否かを容易に判別することができる。
【０１１９】
［包装箱の製造から廃棄まで］
続いて、図１４に示すフローチャートとともに、包装箱５０の製造から廃棄（ブランク形成、組み立て→箱詰め→封緘（封函）→開封→再封→解体→廃棄）までの流れについて説明する。
【０１２０】
包装箱５０の組み立てに際しては、まずブランクシートからブランク５５を形成する（Ｓ１４１１）。ブランクシートからのブランク５５の形成は、例えば、カッタマシンや罫線入れ装置等の機械を用いて行うことができるが、手動で行ってもよい。尚、ブランクシートからブランク５５を形成する際の詳細な手順については後述する。
【０１２１】
続いて、カートニングマシン（製函機）等を用い、ブランク５５の４つの側面板（第１側面板６１１、背面板６１２、第２側面板６１３、及び正面板６１４）及び接続片６１７を折り曲げる（Ｓ１４１２）。
【０１２２】
続いて、接続片６１７の表面に接着剤（ホットメルト等）を塗布し、接続片６１７の表面を第１側面板６１１の裏面に接着する（Ｓ１４１３）。尚、例えば、包装箱５０の製造業者は、輸送（運送）効率のよいこの状態でブランク５５を内容物の製造業者に引き渡す。
【０１２３】
続いて、カートニングマシン（製函機）等を用いてブランク５５を立体的に立ち上げて前述した筒体を形成し、接着剤を用いて差込部６１６１の表面を正面板６１４の裏面に接着することにより筒体の底面を閉じる（Ｓ１４１４）。
【０１２４】
続いて、箱詰機等を用いて筒体に包装箱５０の内容物を箱詰めし（Ｓ１４１５）、差込部６１５１の表面を正面板６１４の裏面に接着して筒体の天面を閉じて包装箱５０を封緘（封函）する（Ｓ１４１６）。
【０１２５】
その後、包装箱５０は出荷され、所定の流通経路等を経て消費者等のユーザの手にわたる。ユーザは包装箱５０の封緘を解いて包装箱５０を開封し内容物を取り出す（Ｓ１４１７）。尚、必要に応じて包装箱５０は残りの内容物の保管等のために再封されて継続使用される（Ｓ１４１８）。その後、最終的に使用済みとなった包装箱５０は解体されて廃棄される（Ｓ１４１９，Ｓ１４２０）。
【０１２６】
［改竄防止機能］
続いて、包装箱５０の改竄防止機能について説明する。尚、以下では、第１端面板６１５側に改竄操作が行われる場合を例として説明するが、第２端面板６１６側について改竄操作が行われた場合も同様である。
【０１２７】
例えば、悪意者が正面板６１４と差込部６１５１との間にカッターを差し込み、両者を接合している接着剤Ｇ１を切断して包装箱５０の端面を開けようとすると、悪意者が正面板６１４に、カッターを動かすことによって生じる力や、刃の厚みによって生じる力が加わり、その結果、第１層間剥離領域が層間剥離して包装箱５０に改竄操作がされたことの痕跡が残る。尚、この事情は、正面板６１４と差込部６１６１との間にカッターを差し込んだ場合も同様であり、その場合は改竄操作が行われることにより第２層間剥離領域が層間剥離して包装箱５０に改竄操作がされたことの痕跡が残る。
【０１２８】
ここで層間剥離は、カッター等を用いた意図的な改竄操作に対しては敏感に反応して生じる一方、包装箱５０の製造時や輸送時、使用時等において層間剥離が自然に生じることはない。またハーフカット線は紙面（ブランク５５）の反対側に接着剤を透過させないため、包装箱５０の製造工程や輸送、箱詰め等の工程において接着剤Ｇ１や接着剤Ｇ２がブランク５の表面側に漏れてしまうようなことがない。またハーフカット線は包装箱５０の強度に与える影響が少なく、ブランク５５や包装箱５０に必要な強度を確保することができるという利点がある。また三角形状のハーフカット線は美観性（デザイン性）にも優れる。
【０１２９】
尚、第１実施形態の場合と同様、本例の場合も、接着剤Ｇ１や接着剤Ｇ２が塗布される部分の近傍の、正面板６１４、第１端面板６１５、及び第２端面板６１６のうちの少なくともいずれかの表面に、熱を加えると変色する性質を有する成分を含んだ物質（塗料や顔料）を塗布するようにしてもよい。また例えば、接着剤Ｇ１や接着剤Ｇ２が塗布される部分の近傍の、正面板６１４、第１端面板６１５、及び第２端面板６１６のうちの少なくともいずれかの表面に、熱を加えると収縮する物質（樹脂フィルム等）を設けてもよい（接着、貼り付け等）。
【０１３０】
また改竄操作に対して第１層間剥離領域又は第２層間剥離領域が敏感に反応して剥離を生じさせるようにする観点からすれば、ブランク５５の表面に設けられる三角形状のハーフカット線９５ａ，９５ｂ及びブランク５５の裏面に設けられる三角形状のハーフカット線９６ａ，９６ｂは、接着剤Ｇ１又は接着剤Ｇ２が塗布される領域となるべく重なるように設けることが好ましい。
【０１３１】
［他の形態］
図１５及び図１６は、層間剥離を生じさせるべく正面板６１４に設けられるハーフカット線の他の設定例である。図１５は、包装箱５０のブランク５５を包装箱１０の表面側から眺めた図であり、図１６は、ブランク５５を包装箱５０の裏面側から眺めた図である。尚、同図に示すブランク５の正面板６１４以外の構成については、図１２及び図１３と同様であるので説明を省略する。
【０１３２】
正面板６１４の、筒体の第１端面板６１５が設けられる側の端辺の中央付近には、略矩形状（略台形状）の押込部６１４５が形成されている。押込部６１４５の周縁は、包装箱５０の開封に際してユーザが外側から押込部６１４５を押し込むことにより破断する破断線６１４５１になっている。尚、破断線６１４５１の一部に脱落防止用のつなぎを設けてもよい。
【０１３３】
図１５に示すように、押込部６１４５の表面の中央付近には、正面板６１４の端辺（押込部６１４５の端辺）の一部を下底とする台形の斜辺に沿ってハーフカット線９５ａが設けられている。
【０１３４】
また図１６に示すように、押込部６１４５の裏面の中央付近には、正面板６１４の端辺（押込部６１４５の端辺）の一部を下底とする台形（以下、第１の台形とも称する。）の斜辺に沿ってハーフカット線９６ａが設けられている。尚、本例では、第１の台形の上底が押込部６１４５の範囲内になるように設定している。
【０１３５】
ここで押込部６１４５ａの表面のハーフカット線９５ａを斜辺とする台形は、押込部６１４５ａの裏面のハーフカット線９６ａを斜辺とする台形よりもサイズが小さく、ブランク５５の表裏を透過的に眺めた場合、押込部６１４５ａの裏面のハーフカット線９６ａの内側になるように形成されている。そしてこれにより、表面のハーフカット線９５ａによる台形の斜辺と裏面のハーフカット線９６ａによる台形の斜辺との間には、層間剥離が生じやすい領域（第１層間剥離領域）が形成される。
【０１３６】
図１５に示すように、正面板６１４の表面の、筒体の第２端面板６１６が設けられる側の端辺の中央付近には、正面板６１４の端辺の一部を下底とする台形の斜辺に沿ってハーフカット線９５ｂが設けられている。
【０１３７】
また図１６に示すように、正面板６１４の裏面の、筒体の第２端面板６１６が設けられる側の端辺の中央付近には、正面板６１４の端辺の一部を下底とする台形（以下、第２の台形とも称する。）の斜辺に沿ってハーフカット線９６ｂが設けられている。
【０１３８】
尚、本例では、第１の台形と第２の台形が同大となるように設定しているが、必ずしも同大でなくてもよい。また第１の台形や第２の台形において、夫々の形状（平行な二辺のいずれを上底としいずれを下底とするか等）や大きさは以上に示したものに必ずしも限定されない。
【０１３９】
ここで正面板６１４の表面のハーフカット線９５ｂによる台形は、正面板６１４の裏面のハーフカット線９６ｂによる台形よりもサイズが小さく、ブランク５５の表裏を透過的に眺めた場合、正面板６１４の裏面のハーフカット線９６ｂの内側になるように形成されている。そしてこれにより、表面のハーフカット線９５ｂによる台形の２つの斜辺と裏面のハーフカット線９６ｂによる台形の２つの斜辺との間には、層間剥離が生じやすい領域（第２層間剥離領域）が形成される。
【０１４０】
本例の場合、例えば、悪意者が正面板６１４と差込部６１５１との間にカッター等を差し込み、両者を接合している接着剤Ｇ１を切断して包装箱５０の端面を開けようとすると、悪意者が正面板６１４に、カッター等を動かすことによって生じる力や、カッターの刃等の厚みによって生じる力が加わり、その結果、第１層間剥離領域が層間剥離して包装箱５０に改竄操作がされたことの痕跡が残る。尚、この事情は、正面板６１４と差込部６１６１との間にカッターを差し込んだ場合も同様であり、その場合は改竄操作が行われることにより第２層間剥離領域が層間剥離して包装箱５０に改竄操作がされたことの痕跡が残る。
【０１４１】
以上詳細に説明したように、第２実施形態の包装箱の構成によれば、簡素な構造でありながら、改竄操作が行われた場合に確実に痕跡を残すことが可能な包装箱を実現することができる。
【０１４２】
＝他の実施形態＝
ところで、改竄が行われたことをユーザや販売者等がより明確に認識することができるように、例えば、ブランク５を形成するブランクシートとして、一部の層が着色された着色紙を用いてもよい。
【０１４３】
図１７はブランクシートとして用いる着色紙の層構造の一例である。同図に示すように、例示する着色紙は、表面から裏面に向かって、表塗料層、表下塗料層、表層、表下層、中層、裏下層、裏層、及び裏塗料層の各層が順に積層された構造を有する。この構造において、例えば、中層、もしくはその上下の表下層や裏下層を着色層とする。尚、このような層構造を有する着色紙の製造方法として、例えば、特許文献３（特開昭６１−２７３３４０号公報）に開示されているものがある。
【０１４４】
図１８は、着色紙をブランクシートとして用いて構成した図１乃至図４に示す構造からなる包装箱１０の斜視図であり、当該包装箱１０に対して改竄操作が行われた後の状態を示す図である。悪意者がカッター等を用いて包装箱１０の端面（第１下側端面板１５及び第１上側端面板１２１）を開けようとする改竄操作を行うと、ハーフカット線（ハーフカット線７１ａ，７１ｂ、ハーフカット線７２ａ，７２ｂ等）や切込線（切込線７３等）の作用により第１上側端面板１２１に層間剥離が生じる。そしてその結果、同図に示すように着色層Ｃが露出し（同図では第１下側端面板１５の表面側に着色層Ｃが露出している）、包装箱１０はユーザや販売者等が改竄操作が行われたことを容易に認識可能な状態になる。
【０１４５】
図１９は、着色紙をブランクシートとして用いて構成した図８乃至図９に示す構造からなる包装箱１０の斜視図であり、当該包装箱１０に対して改竄操作が行われた後の状態を示す図である。悪意者がカッター等を用いて包装箱１０の端面（第１下側端面板１５、第１上側端面板１２１）を開けようとする改竄操作を行うと、表面の菱形状のハーフカット線と裏面の菱形状のハーフカット線との間の層間剥離領域が層間剥離する。そして同図に示すように、層間剥離により離脱した菱形部分（接着剤の作用により取り残された部分）の周囲に着色層Ｃが露出し（同図では第１下側端面板１５の表面側に着色層Ｃが露出している）、包装箱１０はユーザや販売者等が改竄操作が行われたことを容易に認識可能な状態となる。
【０１４６】
図２０は、着色紙をブランクシートとして用いて構成した、第２実施形態の図１０乃至図１３に示す構造からなる包装箱５０に対して改竄操作が行われた後の状態を示す図である。同図に示すように、悪意者が正面板６１４と差込部６１５１との間にカッター等を差し込み、両者を接合している接着剤Ｇ１を切断して包装箱５０の端面を開けようとすると、第１層間剥離領域が層間剥離し、層間剥離により離脱した三角形状の部分（接着剤の作用により取り残された部分）の周囲に層間剥離によって着色層Ｃが露出し、包装箱５０はユーザや販売者等が改竄操作が行われたことを容易に認識可能な状態となる。
【０１４７】
図２１は、着色紙をブランクシートとして用いて構成した、第２実施形態の図１５乃至図１６に示す構造からなる包装箱５０に対して改竄操作が行われた後の状態を示す図である。同図に示すように、悪意者が正面板６１４と差込部６１５１との間にカッター等を差し込み、両者を接合している接着剤Ｇ１を切断して包装箱５０の端面を開けようとすると、第１層間剥離領域が層間剥離し、層間剥離により離脱した台形状の部分（接着剤の作用により取り残された部分）の周囲に層間剥離によって着色層Ｃが露出し、包装箱５０は改竄操作が行われたことが明確に認識可能な状態となる。
【０１４８】
尚、層間剥離によって着色層が確実に露出するように、ハーフカット線は、図１８乃至図２１に示したいずれの包装箱についても、例えば、少なくとも着色層に達する深さで形成することが好ましい。また着色層の色は、改竄が行われたことをユーザや販売者等が容易に認識することができるように、例えば、包装箱の表面の色と対照的な色とすることが好ましい。
【０１４９】
ところで、図１８乃至図２１に示した各包装箱において、例えば、包装箱の稜線となる折り目の部分をミシン目とし、包装箱を製函した際に上記ミシン目の部分に着色層が露出するようにしてもよい。そのようにすることで、包装箱やその内容物が正しい製造ルートで流通したものであることを証明することが可能になり、包装箱やその内容物の偽造を防ぐことができる。
【０１５０】
図２２に、一例として、図１８（図１乃至図４）に示す構造からなる包装箱１０の稜線（山折線３１及び山折線３２）を夫々ミシン目３１ｍ，３２ｍとした場合における、当該包装箱１０の斜視図を示す。同図に示すように、包装箱１０を製函した状態において、ミシン目３１ｍ，３２ｍの切り込み部分（つなぎ以外の部分）から着色層Ｃが露出する。また包装箱の製函時において、例えば、ミシン目の部分を折り目としてブランク５を折り曲げるようにする（例えば折り目を軸として１８０゜以上、折り曲げる）ことで、ミシン目３１ｍ，３２ｍのつなぎの部分の表面にも亀裂を生じさせることができ、より確実に着色層Ｃを露出させることができる。
【０１５１】
図２１に示した包装箱５０は、押込部６１４５を親指等で押し込むことにより破断線６１４５１を破断させ、それにより形成される孔に指を掛けて差込部６１５１とともに第１端面板６１５を引き上げることにより開封する構造になっているが、例えば、ハーフカット線９５ａとハーフカット線９６ａとによって生じる層間剥離により正面板６１４から切離される第１の台形Ｄ１、もしくは、ハーフカット線９５ｂとハーフカット線９６ｂとによって生じる層間剥離により正面板６１４から切離される第２の台形Ｄ２を、押込部６１４５のように機能させるようにしてもよい。その場合、第１の台形Ｄ１や第２の台形Ｄ２の大きさや形状（面積）については、例えば、これらを押込部６１４５として機能させるのに適切となるように設定すればよい。このような構成とすることで、包装箱５０の製造に際して押込部６１４５を形成するための工程を省略することができるとともに、外観をシンプルなものとして包装箱５０の美観性を向上させることができる。
【０１５２】
図２３にそのような構成とした包装箱１０の斜視図を示す。尚、この場合においてもブランクシートとして着色紙を用いることで、包装箱５０が開封されたり改竄されたりすれば着色層Ｃが露出し、開封や改竄が行われたことを明確にユーザに示すことができる。
【０１５３】
尚、同図では第１の台形Ｄ１や第２の台形Ｄ２を正面板６１４に設けているが、第１の台形Ｄ１や第２の台形Ｄ２を背面板６１２に設けるようにしてもよい。
【０１５４】
図２４にそのような構成とした包装箱５０の斜視図を示す。尚、この場合においてもブランクシートとして着色紙を用いることで、包装箱５０が開封されたり改竄された場合には着色層Ｃが露出するので、開封や改竄の有無を明確にユーザに示すことができる。
【０１５５】
図２３では、正面板６１４を透過的に見たときに正面板６１４の表面側のハーフカット線９５ａが正面板６１４の裏面側のハーフカット線９６ａの内側になるように形成しているが、これとは逆に、正面板６１４の表面側のハーフカット線９５ａが正面板６１４の裏面側のハーフカット線９６ａの外側になるように形成するようにしてもよい。ハーフカット線９５ｂとハーフカット線９６ｂの関係についても同様である。
【０１５６】
図２５にそのような構成とした包装箱５０の斜視図を示す。尚、この場合においてもブランクシートとして着色紙を用いることで、包装箱５０が開封されたり改竄されたりした場合には着色層Ｃが露出し、開封や改竄が行われたことを明確にユーザに示すことができる。またこの場合は着色層Ｃが正面板６１４の表面側に直に露出するので、開封や改竄の有無をさらに明確にユーザに示すことができ、包装箱５０に対して操作が行われたことをユーザが気付き易くすることができる。
【０１５７】
図２６は、図２５に示した包装箱５０と同様の構造を、第１の台形Ｄ１や第２の台形Ｄ２を背面板６１２に設けた場合である。この場合も図２５に示した包装箱５０の場合と同様の効果を得ることができる。
【０１５８】
図２７及び図２８は、夫々図８及び図９に示したブランクに形成されている菱形状のハーフカット線と、図２４に示す第１の台形Ｄ１や第２の台形Ｄ２の双方を設けたブランクの例である。尚、これらの図において、封緘時に塗布する接着剤については省略している。
【０１５９】
図２９は、図２７及び図２８に示すブランクに基づく包装箱５０の斜視図である。尚、本例では表面側のハーフカット線が裏面側のハーフカット線の外側になるように形成しているが、図２３に示した包装箱５０と同様に、これとは逆の構成としてもよい。
【０１６０】
このように、包装箱１０の端面（第１下側端面板１５、第１上側端面板１２１）を開けようとする改竄操作の痕跡を残す構成（菱形状のハーフカット線）と、第１の台形Ｄ１や第２の台形Ｄ２を押込部６１４５として機能させる構成とを一つの包装箱５０に同時に設けるようにしてもよい。
【０１６１】
以上の各実施形態の説明は、本発明の理解を容易にするためのものであり、本発明を限定するものではない。本発明は、その趣旨を逸脱することなく、変更、改良され得ると共に、本発明にはその等価物が含まれる。例えば、以上の実施形態では、包装箱１０の内容物が収納される空間を形成する筒体がいずれも角筒状であったが、筒体は他の形態であってもよく、例えば、円筒状等の曲面の板によって構成されるものであってもよい。
【符号の説明】
【０１６２】
５  ブランク、１０  包装箱、１１  第１側面板、１２  正面板、１２１  第１上側端面板、１２２  第２上側端面板、１２５  押込部、１３  第２側面板、１４  背面板、１５  第１下側端面板、１６  第２下側端面板、Ｇａ，Ｇｂ  接着剤、７１ａ，７１ｂ  ハーフカット線、７２ａ，７２ｂ  ハーフカット線、７３  切込線、７５ａ，７５ｂ  ハーフカット線、７６ａ，７６ｂ  ハーフカット線、７７  切込線、８１ａ，８１ｂ  ハーフカット線、８２ａ，８２ｂ  ハーフカット線、８５ａ，８５ｂ  ハーフカット線、８６ａ，８６ｂ  ハーフカット線、９５ａ，９５ｂ  ハーフカット線、９６ａ，９６ｂ  ハーフカット線
【図１】
2020045166.tif 000003
【図２】
2020045166.tif 000004
【図３】
2020045166.tif 000005
【図４】
2020045166.tif 000006
【図５】
2020045166.tif 000007
【図６】
2020045166.tif 000008
【図７】
2020045166.tif 000009
【図８】
2020045166.tif 000010
【図９】
2020045166.tif 000011
【図１０】
2020045166.tif 000012
【図１１】
2020045166.tif 000013
【図１２】
2020045166.tif 000014
【図１３】
2020045166.tif 000015
【図１４】
2020045166.tif 000016
【図１５】
2020045166.tif 000017
【図１６】
2020045166.tif 000018
【図１７】
2020045166.tif 000019
【図１８】
2020045166.tif 000020
【図１９】
2020045166.tif 000021
【図２０】
2020045166.tif 000022
【図２１】
2020045166.tif 000023
【図２２】
2020045166.tif 000024
【図２３】
2020045166.tif 000025
【図２４】
2020045166.tif 000026
【図２５】
2020045166.tif 000027
【図２６】
2020045166.tif 000028
【図２７】
2020045166.tif 000029
【図２８】
2020045166.tif 000030
【図２９】
2020045166.tif 000031